(57)【要約】【課題】取り替え得る画面表示の種類が多く、また画面表示を取り替えるのに手間が掛からないようにした遊技装置の画面表示システムを提供することを目的とする。【解決手段】店舗１に設けられた遊技装置２、店舗サーバー５、コンテンツ配信センター８に設けられ店舗サーバー５から成り、店舗サーバー５は、コンテンツ配信サーバー９へ遊技装置２の表示画面情報の配信を要求し、配信されたコンテンツを記憶部６に記憶し、記憶したコンテンツを指定された遊技装置にダウンロードし、表示画面に表示する機能を有し、コンテンツ配信サーバー９は、要求内容に従い店舗サーバー５へコンテンツを配信する機能を有するようにした。【選択図】        図１
2005006807.tif 000002
【特許請求の範囲】
【請求項１】
遊技場の店舗に設けられた、表示画面として主表示画面と周辺表示画面を有する遊技装置及び遊技装置と通信回線を通じて接続され、且つコンテンツ配信サーバーとインターネット回路網を通じて送受信可能に接続し得る店舗サーバーから成り、
店舗サーバーは、コンテンツ配信サーバーへ遊技装置の表示画面情報の配信を要求する機能及びコンテンツ配信サーバーから配信されたコンテンツを記憶部に記憶する機能並びに記憶したコンテンツを指定した遊技装置にダウンロードし、表示画面に表示する機能を有する、
ことを特徴とする遊技装置の画面表示システム。
【請求項２】
遊技場の店舗に設けられた、表示画面として主表示画面と周辺表示画面を有する遊技装置及び遊技装置と通信回線を通じて接続された店舗サーバー並びにコンテンツ配信センターに設けられ店舗サーバーとインターネット回路網１を通じて送受信可能に接続されたコンテンツ配信サーバーから成る遊技装置の画面表示システムであって、
店舗サーバーは、コンテンツ配信サーバーへ遊技装置の表示画面情報の配信を要求する機能及びコンテンツ配信サーバーから配信されたコンテンツを記憶部に記憶する機能並びに記憶したコンテンツを指定した遊戯装置にダウンロードし、表示画面に表示する機能を有し、
コンテンツ配信サーバーは、配信内容に従った費用を店舗サーバーに請求する機能及び要求内容に従い店舗サーバーへコンテンツを配信する機能を有する、
ことを特徴とする遊技装置の画面表示システム。
【請求項３】
請求項１又は請求項２に記載の遊技装置の画面表示システムにおいて、
店舗サーバーによるコンテンツ配信サーバーに対する遊技装置の表示画面情報の配信要求時に指定する情報が、店舗名、番号（店舗名の番号）、遊技装置番号、表示画面の種別である、
ことを特徴とする遊技装置の画面表示システム。
【請求項４】
遊技場の店舗に設けられた、表示画面として主表示画面と周辺表示画面を有する遊技装置及び遊技装置と通信回線を通じて接続され、且つコンテンツ配信サーバーとインターネット回路網を通じて送受信可能に接続し得る店舗サーバーを備え、
店舗サーバーからコンテンツ配信サーバーへ遊技装置の表示画面情報の配信を要求し、コンテンツ配信サーバーから配信されたコンテンツを記憶部に記憶し、記憶したコンテンツを指定した遊技装置にダウンロードし、表示画面に表示するようにした、
ことを特徴とする遊技装置の画面表示方法。
【発明の詳細な説明】
【０００１】
【発明の属する技術分野】
本発明は、遊技装置の表示画面、特に主表示画面周辺の表示画面に広告を表示するための遊技装置の画面表示システム及び方法に関する。
【０００２】
【従来の技術】
パチンコ機，パチスロ機等の遊技装置には遊技を行うための主表示画面の他に、その周辺に周辺表示画面が設けられていて、宣伝効果を期待してこの周辺表示画面に例えば広告情報を表示して入る。
そしてこのような表示画面の表示内容は、次の宣伝効果を期待して適宜に他の画面表示に変更される。
【０００３】
従来、表示ベルトに複数の広告を描いておき、必要に応じて表示ベルトを動かして、所望の広告を広告表示部に表示するようにした遊技機の広告表示方法があるが（例えば、特許文献１参照。）、一般的に使用するためには、広告を取り替えるのに手間が掛かり、またその種類も少なく、複数の広告が描かれている他の表示ベルトに取り替えるにはさらに手間が掛かる。
【０００４】
【特許文献】
特開平１１−１５１３４７号公報
【０００５】
【発明が解決しようとする課題】
本発明は上記の点に鑑み、取り替え得る画面表示の種類が多く、また画面表示を取り替えるのに手間が掛からないようにした遊技装置の画面表示システム及び方法を提供することを目的とする。
【０００６】
【課題を解決するための手段】
上記目的を達成するために、本発明の遊技装置の画面表示システムでは、遊技場の店舗１に設けられた、表示画面として主表示画面３と周辺表示画面４を有する遊技装置２及び遊技装置２と通信回線７を通じて接続され、且つコンテンツ配信サーバー９とインターネット回路網１１を通じて送受信可能に接続し得る店舗サーバー５から成り、
店舗サーバー５は、コンテンツ配信サーバー９へ遊技装置２の表示画面情報の配信を要求する機能及びコンテンツ配信サーバー９から配信されたコンテンツ（表示画面情報）を記憶部６に記憶する機能並びに記憶したコンテンツを指定した遊技装置にダウンロードし、表示画面に表示する機能を有するようにした。
【０００７】
また本発明の遊技装置の画面表示システムでは、遊技場の店舗１に設けられた、表示画面として主表示画面３と周辺表示画面４を有する遊技装置２及び遊技装置２と通信回線７を通じて接続された店舗サーバー５並びにコンテンツ配信センター８に設けられ店舗サーバー５とインターネット回路網１１を通じて送受信可能に接続されたコンテンツ配信サーバー９から成る遊技装置の画面表示システムであって、店舗サーバー５は、コンテンツ配信サーバー９へ遊技装置２の表示画面情報の配信を要求する機能及びコンテンツ配信サーバー９から配信されたコンテンツを記憶部６に記憶する機能並びに記憶したコンテンツを指定した遊戯装置にダウンロードし、表示画面に表示する機能を有し、コンテンツ配信サーバー９は、配信内容に従った費用を店舗サーバー５に請求する機能及び要求内容に従い店舗サーバー５へコンテンツを配信する機能を有するようにした。
【０００８】
また、上記の各遊技装置の画面表示システムにおいて、店舗サーバー５によるコンテンツ配信サーバー９に対する遊技装置２の表示画面情報の配信要求時に指定する情報は、店舗名、（店舗名の番号）、遊技装置番号、表示画面の種別である。
【０００９】
さらに、本発明の遊技装置の画面表示方法では、遊技場の店舗１に設けられた、表示画面として主表示画面３と周辺表示画面４を有する遊技装置２及び遊技装置２と通信回線７を通じて接続され、且つコンテンツ配信サーバー９とインターネット回路網１１を通じて送受信可能に接続し得る店舗サーバー５を備え、店舗サーバー５からコンテンツ配信サーバー９へ遊技装置２の表示画面情報の配信を要求し、コンテンツ配信サーバー９から配信されたコンテンツを記憶部６に記憶し、記憶したコンテンツを指定した遊技装置にダウンロードし、表示画面に表示するようにした。
【００１０】
【発明の実施の形態】
本発明の実施の形態を実施例にもとづき図面を参照して説明する。
図１は本発明の遊技装置の画面表示システムの概念図である。
図において、１は遊技場の店舗、２はパチンコ機，パチスロ機のような遊技装置、３は遊技を行うための主表示画面、４は主表示画面の周辺に配置され、広告情報等を表示するための周辺表示画面で、映像を表示できる装置（例えば、液晶ディスプレイ）で構成されている。５は店舗１内に設けられたサーバー、６は記憶部で後述の配信されたコンテンツ（映像情報）（本発明の場合は、主として広告情報）を一時的に記憶する。７は遊技装置２（の周辺表示画面４）と店舗サーバー５を接続する通信回線（ＬＡＮ）である。
【００１１】
８はコンテンツ配信センター、９はコンテンツ配信サーバー、１０はコンテンツを格納するデータベース（ＤＢ）、１１は店舗サーバー５とコンテンツ配信サーバー９を送受信可能に接続するインターネット通信網である。
そして店舗１側で遊技装置２の表示画面、特に広告情報を表示する周辺表示画面４の表示内容を取り替えようとする場合には、店舗サーバー５を操作して、コンテンツ配信センター８のコンテンツ配信サーバー９に対して遊技装置２の表示画面情報（映像情報）の配信を要求する。
【００１２】
この場合、店舗名、遊技装置番号、表示画面の種別等を指定情報として送信する。
店舗サーバー５からこの配信要求信号を受信して、コンテンツ配信サーバー９は配信内容に従った費用を店舗側に請求し、要求内容に従うコンテンツ（映像情報）を店舗サーバー５に配信する。
【００１３】
店舗サーバー５はコンテンツ配信サーバー９から配信されたコンテンツを一時的に記憶部６に記憶し、記憶されたコンテンツを指定された遊戯装置２にダウンロードして、周辺表示画面４の表示内容を取り替える（変更する）。
【００１４】
【発明の効果】
以上のように本発明によれば、それほどの手間を掛けることなく、遊技装置の表示画面に表示する所望の内容の映像をコンテンツ配信サーバーから適宜に且つ迅速に配信してもらうことができ、それをもって表示画面に表示することができる。また映像内容の変更も迅速に行うことができる。
【図面の簡単な説明】
【図１】遊技装置の画面表示システムの概念図である。
【符号の説明】
１  遊技場の店舗
２  遊技装置
３  遊技装置の主表示画面
４  遊技装置の周辺表示画面
５  店舗サーバー
６  記憶部
７  ＬＡＮ
８  コンテンツ配信センター
９  コンテンツ配信サーバー
１０  ＤＢ
１１  インターネット通信網
【図１】
2005006807.tif 000003